(57)【特許請求の範囲】
【請求項１】
マルチメディア表示方法であって、
ユーザ装置が、マルチメディアタイプ選択コマンドを受信するステップと、
指定範囲内のサービスデバイスを検索し、アクセス許可を有するサービスデバイスを決定するステップであり、前記サービスデバイスはマルチメディアファイルを格納している、ステップと、
前記アクセス許可を有するサービスデバイスにおいて、前記マルチメディアタイプ選択コマンドに対応するマルチメディアファイルを検索するステップと、
前記マルチメディアタイプ選択コマンドに対応する前記マルチメディアファイルに従って、マルチメディアファイルリストを生成及び表示するステップであって、前記マルチメディアファイルリストは、前記マルチメディアタイプ選択コマンドに対応する前記マルチメディアファイルの名称情報を含む、ステップと、
を含み、
前記アクセス許可を有するサービスデバイスにおいて、前記マルチメディアタイプ選択コマンドに対応するマルチメディアファイルを検索する前記ステップは、
前記アクセス許可を有するサービスデバイスからファイルディレクトリを取得するステップであって、前記ファイルディレクトリは、前記サービスデバイスの少なくとも１つのファイルの名称情報を含む、ステップと、
前記ファイルディレクトリ内の前記少なくとも１つのファイルの前記名称情報に従って、前記少なくとも１つのファイルを検索するステップと、
前記少なくとも１つのファイルに従って、前記少なくとも１つのファイルのファイル情報を取得するステップであって、前記少なくとも１つのファイルの前記ファイル情報は、前記少なくとも１つのファイルのタイプを区別するのに用いられる、ステップと、
前記少なくとも１つのファイルから、前記少なくとも１つのファイルの前記ファイル情報に従って、前記マルチメディアタイプ選択コマンドに対応する前記マルチメディアファイルを選択するステップと、
であり、
前記少なくとも１つのファイルを検索する前記ステップは、
前記ファイルディレクトリにフォルダが存在するか否かを検出するステップであって、前記フォルダは少なくとも１つのファイルを含む、ステップと、
前記ファイルディレクトリに前記フォルダが存在する場合、前記フォルダ内の前記少なくとも１つのファイルを検索するステップと、
を含み、
前記少なくとも１つのファイルに従って、前記少なくとも１つのファイルのファイル情報を取得する前記ステップは、
前記フォルダ内の前記少なくとも１つのファイルに従って、前記フォルダ内の前記少なくとも１つのファイルの前記ファイル情報を取得するステップ、
を含み、
前記少なくとも１つのファイルから、前記少なくとも１つのファイルの前記ファイル情報に従って、前記マルチメディアタイプ選択コマンドに対応する前記マルチメディアファイルを選択する前記ステップは、
前記フォルダ内の前記少なくとも１つのファイルから、前記フォルダ内の前記少なくとも１つのファイルの前記ファイル情報に従って、前記マルチメディアタイプ選択コマンドに対応する前記マルチメディアファイルを選択するステップ、
を含む、方法。
【請求項２】
選択再生コマンドを受信するステップであって、前記選択再生コマンドは、前記マルチメディアファイルリストから再生対象のマルチメディアファイルを選択するのに用いられる、ステップと、
前記選択再生コマンドに従って、前記サービスデバイスから、前記選択再生コマンドに対応するマルチメディアファイルを取得するステップと、
前記マルチメディアファイルの第１のダウンロード部分を前記ユーザ装置のバッファにダウンロードし、前記第１のダウンロード部分を再生するステップと、
を更に含む、請求項１に記載の方法。
【請求項３】
前記第１のダウンロード部分を再生する前記ステップの後に、
前記マルチメディアファイルの前記第１のダウンロード部分を、前記ユーザ装置の前記バッファから削除するステップ、
を更に含む、請求項２に記載の方法。
【請求項４】
マルチメディアタイプ選択コマンドを受信するように構成されるコマンド受信モジュールと、
指定範囲内のサービスデバイスを検索し、アクセス許可を有するサービスデバイスを決定するように構成されるサービス検索モジュールであって、前記サービスデバイスはマルチメディアファイルを格納している、サービス検索モジュールと、
前記アクセス許可を有するサービスデバイスにおいて、前記マルチメディアタイプ選択コマンドに対応するマルチメディアファイルを検索するように構成されるファイル検索モジュールと、
前記マルチメディアタイプ選択コマンドに対応する前記マルチメディアファイルに従って、マルチメディアファイルリストを生成及び表示するように構成されるリスト生成モジュールであって、前記マルチメディアファイルリストは、前記マルチメディアタイプ選択コマンドに対応する前記マルチメディアファイルの名称情報を含む、リスト生成モジュールと、
を備えるマルチメディア表示装置であって、
前記ファイル検索モジュールは、
前記アクセス許可を有するサービスデバイスからファイルディレクトリを取得するように構成されるディレクトリ取得ユニットであって、前記ファイルディレクトリは、前記サービスデバイスの少なくとも１つのファイルの名称情報を含む、ディレクトリ取得ユニットと、
前記ファイルディレクトリ内の前記少なくとも１つのファイルの前記名称情報に従って、前記少なくとも１つのファイルを検索するように構成される検索ユニットと、
前記少なくとも１つのファイルに従って、前記少なくとも１つのファイルのファイル情報を取得するように構成される情報取得ユニットであって、前記少なくとも１つのファイルの前記ファイル情報は、前記少なくとも１つのファイルのタイプを区別するのに用いられる、情報取得ユニットと、
前記少なくとも１つのファイルから、前記少なくとも１つのファイルの前記ファイル情報に従って、前記マルチメディアタイプ選択コマンドに対応する前記マルチメディアファイルを選択するように構成される選択ユニットと、
を有し、
前記検索ユニットは、
前記ファイルディレクトリにフォルダが存在するか否かを検出するように構成される検出サブユニットであって、前記フォルダは少なくとも１つのファイルを含む、検出サブユニットと、
前記ファイルディレクトリに前記フォルダが存在する場合、前記フォルダ内の前記少なくとも１つのファイルを検索するように構成される検索サブユニットと、
を有し、
前記情報取得ユニットは、
前記フォルダ内の前記少なくとも１つのファイルに従って、前記フォルダ内の前記少なくとも１つのファイルの前記ファイル情報を取得するように構成される情報取得サブユニット、
を有し、
前記選択ユニットは、
前記フォルダ内の前記少なくとも１つのファイルから、前記フォルダ内の前記少なくとも１つのファイルの前記ファイル情報に従って、前記マルチメディアタイプ選択コマンドに対応する前記マルチメディアファイルを選択するように構成される選択サブユニット、
を有する、装置。
【請求項５】
選択再生コマンドを受信するように構成される再生コマンド受信モジュールであって、前記選択再生コマンドは、前記マルチメディアファイルリストから再生対象のマルチメディアファイルを選択するのに用いられる、再生コマンド受信モジュールと、
前記選択再生コマンドに従って、前記サービスデバイスから、前記選択再生コマンドに対応するマルチメディアファイルを取得するように構成されるファイル選択モジュールと、
前記マルチメディアファイルの第１のダウンロード部分をユーザ装置のバッファにダウンロードし、前記第１のダウンロード部分を再生するように構成されるファイル再生モジュールと、
を更に備える、請求項４に記載の装置。
【請求項６】
前記マルチメディアファイルの前記第１のダウンロード部分を、前記ユーザ装置の前記バッファから削除するように構成される削除モジュール、
を更に備える、請求項５に記載の装置。
【請求項７】
少なくともプロセッサ及びユーザインタフェースを備えるマルチメディア表示デバイスであって、
前記ユーザインタフェースは、マルチメディアタイプ選択コマンドを受信するように構成され、
前記プロセッサは、指定範囲内のサービスデバイスを検索し、アクセス許可を有するサービスデバイスを決定するように構成され、前記サービスデバイスはマルチメディアファイルを格納しており、且つ、前記アクセス許可を有するサービスデバイスにおいて、前記マルチメディアタイプ選択コマンドに対応するマルチメディアファイルを検索するように構成され、且つ、前記マルチメディアタイプ選択コマンドに対応する前記マルチメディアファイルに従って、マルチメディアファイルリストを生成及び表示するように構成され、前記マルチメディアファイルリストは、前記マルチメディアタイプ選択コマンドに対応する前記マルチメディアファイルの名称情報を含み、
前記プロセッサは更に、前記アクセス許可を有するサービスデバイスからファイルディレクトリを取得するように構成され、前記ファイルディレクトリは、前記サービスデバイスの少なくとも１つのファイルの名称情報を含み、且つ、前記ファイルディレクトリ内の前記少なくとも１つのファイルの前記名称情報に従って、前記少なくとも１つのファイルを検索するように構成され、且つ、前記少なくとも１つのファイルに従って、前記少なくとも１つのファイルのファイル情報を取得するように構成され、前記少なくとも１つのファイルの前記ファイル情報は、前記少なくとも１つのファイルのタイプを区別するのに用いられ、且つ、前記少なくとも１つのファイルから、前記少なくとも１つのファイルの前記ファイル情報に従って、前記マルチメディアタイプ選択コマンドに対応する前記マルチメディアファイルを選択するように構成され、
前記プロセッサは更に、前記ファイルディレクトリにフォルダが存在するか否かを検出し、前記フォルダは少なくとも１つのファイルを含み、且つ、前記ファイルディレクトリに前記フォルダが存在する場合、前記フォルダ内の前記少なくとも１つのファイルを検索ように構成され、且つ、前記フォルダ内の前記少なくとも１つのファイルに従って、前記フォルダ内の前記少なくとも１つのファイルの前記ファイル情報を取得するように構成され、且つ、前記フォルダ内の前記少なくとも１つのファイルから、前記フォルダ内の前記少なくとも１つのファイルの前記ファイル情報に従って、前記マルチメディアタイプ選択コマンドに対応する前記マルチメディアファイルを選択するように構成される、
デバイス。
【請求項８】
前記ユーザインタフェースは更に、選択再生コマンドを受信するように構成され、前記選択再生コマンドは、前記マルチメディアファイルリストから再生対象のマルチメディアファイルを選択するのに用いられ、
前記プロセッサは更に、前記選択再生コマンドに従って、前記サービスデバイスから、前記選択再生コマンドに対応するマルチメディアファイルを取得し、前記マルチメディアファイルの第１のダウンロード部分をユーザ装置のバッファにダウンロードし、前記第１のダウンロード部分を再生するように構成される、
請求項７に記載のデバイス。
【請求項９】
前記プロセッサは更に、前記マルチメディアファイルの前記第１のダウンロード部分を、前記ユーザ装置の前記バッファから削除するように構成される、
請求項８に記載のデバイス。
【請求項１０】
コンピュータに請求項１乃至３のいずれか一項に記載の方法を実行させるプログラム。
【発明の詳細な説明】
【技術分野】
【０００１】
本発明は電子情報技術分野に関し、特に、マルチメディア表示方法、装置及びデバイスに関する。
【背景技術】
【０００２】
現在、Androidプラットフォームをベースとした車載システムは、既に非常に普及している。一般に、車載システムは、車載システム内の既存のマルチメディアファイルのみを再生することができる。車載システムで再生できるマルチメディアファイルの範囲を広げ、車載システムで他のサービスデバイス内のマルチメディアファイルを再生できるようにし、例えば、車載システムを用いて携帯電話内のマルチメディアファイルを再生するために、また、車載システムが携帯電話等のサービスデバイス内のマルチメディアファイルを再生できるようにするために、従来技術ではＤＬＮＡ（Digital  Living  Network  Alliance、デジタル・リビング・ネットワーク・アライアンス）技術が一般に適用され、ＤＬＮＡサービスデバイスがＤＬＮＡ車載システムと連携して、車載システムを用いて携帯電話等のサービスデバイス内のマルチメディアファイルを再生する。ＤＬＮＡ車載システムは、マルチメディアタイプ情報を表示する。ユーザのマルチメディアタイプ選択コマンドを受信した後、ＤＬＮＡ車載システムは、検索されたＤＬＮＡサービスデバイスを表示する。ユーザのＤＬＮＡサービスデバイス選択コマンドを受信した後、ＤＬＮＡ車載システムは、選択されたＤＬＮＡサーバ内のカタログディレクトリ、例えばパスやアーティスト、アルバム等に基づくカタログディレクトリを表示する。ユーザのカタログディレクトリ選択コマンドを受信した後、ＤＬＮＡ車載システムは、カタログディレクトリのマルチメディアファイルリストを表示する。ＤＬＮＡ車載システムは、ユーザのマルチメディアファイル選択コマンドを受信し、マルチメディアファイルリスト内のマルチメディアファイルを選択及び再生する。
【０００３】
しかしながら、従来技術では、ＤＬＮＡ車載システムの無線ネットワークによってカバーされる範囲内には、一般に、１以上のＤＬＮＡサービスデバイスが存在する。ＤＬＮＡサービスデバイスにアクセスする前に、ＤＬＮＡ車載システムは、どのマルチメディアファイルがＤＬＮＡサービスデバイスに存在するかを知らない。ＤＬＮＡサービスデバイスがユーザの望むマルチメディアファイルを含まない場合、ＤＬＮＡ車載システムは、ＤＬＮＡサービスデバイスリストを表示するインタフェースに戻り、別のＤＬＮＡサービスデバイスにアクセスし、ユーザのカタログディレクトリ選択コマンド及びマルチメディアファイル選択コマンドを再び受信し、マルチメディアファイルを選択及び再生する必要がある。複数のＤＬＮＡサービスデバイスが存在する場合、ＤＬＮＡ車載システムは、ＤＬＮＡサービスデバイスに繰り返しアクセスする必要がある。ＤＬＮＡサービスデバイスがアクセスされるたびに、所望のマルチメディアファイルを再生する前に、ユーザの複数のコマンドを受信する必要がある。ＤＬＮＡ車載システムがマルチメディアファイルを検索するのに時間がかかり、マルチメディアファイルの検索効率が低下してしまう。
【発明の概要】
【０００４】
本発明の実施形態は、マルチメディアファイルを検索する際にユーザ装置が費やす時間を短縮し、マルチメディアファイルの検索効率を向上させることのできるマルチメディア表示方法、装置及びデバイスを提供する。
【０００５】
前述の目的を達成するために、本発明の実施形態は以下の技術的解決策を採用する。
【０００６】
第１の態様によれば、本発明の実施形態はマルチメディア表示方法を提供する。本方法は、
ユーザ装置が、マルチメディアタイプ選択コマンドを受信するステップと、
指定範囲内のサービスデバイスを検索し、アクセス許可を有するサービスデバイスを決定するステップであって、サービスデバイスはマルチメディアファイルを格納している、ステップと、
アクセス許可を有するサービスデバイスにおいて、マルチメディアタイプ選択コマンドに対応するマルチメディアファイルを検索するステップと、
マルチメディアタイプ選択コマンドに対応するマルチメディアファイルに従って、マルチメディアファイルリストを生成及び表示するステップであって、マルチメディアリストは、マルチメディアタイプ選択コマンドに対応するマルチメディアファイルの名称情報を含む、ステップと、
を含む。
【０００７】
第１の態様に関して、第１の可能な実施方式では、アクセス許可を有するサービスデバイスにおいて、マルチメディアタイプ選択コマンドに対応するマルチメディアファイルを検索するステップは、具体的には、
アクセス許可を有するサービスデバイスからファイルディレクトリを取得するステップであって、ファイルディレクトリは、サービスデバイスの少なくとも１つのファイルの名称情報を含む、ステップと、
ファイルディレクトリ内の少なくとも１つのファイルの名称情報に従って、少なくとも１つのファイルを検索するステップと、
少なくとも１つのファイルに従って、少なくとも１つのファイルのファイル情報を取得するステップであって、少なくとも１つのファイルのファイル情報は、少なくとも１つのファイルのタイプを区別するのに用いられる、ステップと、
少なくとも１つのファイルから、少なくとも１つのファイルのファイル情報に従って、マルチメディアタイプ選択コマンドに対応するマルチメディアファイルを選択するステップと、
を含む。
【０００８】
第１の態様第１の可能な実施方式に関して、第２の可能な実施方式では、少なくとも１つのファイルを検索するステップは、具体的には、
ファイルディレクトリにフォルダが存在するか否かを検出するステップであって、フォルダは少なくとも１つのファイルを含む、ステップと、
ファイルディレクトリにフォルダが存在する場合、フォルダ内の少なくとも１つのファイルを検索するステップと、
を含む。少なくとも１つのファイルに従って、少なくとも１つのファイルのファイル情報を取得するステップは、具体的には、
フォルダ内の少なくとも１つのファイルに従って、フォルダ内の少なくとも１つのファイルのファイル情報を取得するステップ、
を含む。少なくとも１つのファイルから、少なくとも１つのファイルのファイル情報に従って、マルチメディアタイプ選択コマンドに対応するマルチメディアファイルを選択するステップは、具体的には、
フォルダ内の少なくとも１つのファイルから、フォルダ内の少なくとも１つのファイルのファイル情報に従って、マルチメディアタイプ選択コマンドに対応するマルチメディアファイルを選択するステップ、
を含む。
【０００９】
第１の態様又は第１の態様の第１若しくは第２の可能な実施方式に関して、第３の可能な実施方式では、本方法は更に、
選択再生コマンドを受信するステップであって、選択再生コマンドは、マルチメディアリストから再生対象のマルチメディアファイルを選択するのに用いられる、ステップと、
選択再生コマンドに従って、サービスデバイスから、選択再生コマンドに対応するマルチメディアファイルを取得するステップと、
マルチメディアファイルの第１のダウンロード部分をユーザ装置のバッファにダウンロードし、第１のダウンロード部分を再生するステップと、
を含む。
【００１０】
第１の態様の第３の可能な実施方式に関して、第４の可能な実施方式では、第１のダウンロード部分を再生するステップの後に、本方法は更に、
マルチメディアファイルの第１のダウンロード部分を、ユーザ装置のバッファから削除するステップ、
を含む。
【００１１】
第２の態様によれば、本発明の実施形態はマルチメディア表示装置を提供する。本装置は、
マルチメディアタイプ選択コマンドを受信するように構成されるコマンド受信モジュールと、
指定範囲内のサービスデバイスを検索し、アクセス許可を有するサービスデバイスを決定するように構成されるサービス検索モジュールと、サービスデバイスはマルチメディアファイルを格納している、サービス検索モジュールと、
アクセス許可を有するサービスデバイスにおいて、マルチメディアタイプ選択コマンドに対応するマルチメディアファイルを検索するように構成されるファイル検索モジュールと、
マルチメディアタイプ選択コマンドに対応するマルチメディアファイルに従って、マルチメディアファイルリストを生成及び表示するように構成されるリスト生成モジュールであって、マルチメディアリストは、マルチメディアタイプ選択コマンドに対応するマルチメディアファイルの名称情報を含む、リスト生成モジュールと、
を備える。
【００１２】
第２の態様に関して、第１の可能な実施方式では、ファイル検索モジュールは、
アクセス許可を有するサービスデバイスからファイルディレクトリを取得するように構成されるディレクトリ取得ユニットであって、ファイルディレクトリは、サービスデバイスの少なくとも１つのファイルの名称情報を含む、ディレクトリ取得ユニットと、
ファイルディレクトリ内の少なくとも１つのファイルの名称情報に従って、少なくとも１つのファイルを検索するように構成される検索ユニットと、
少なくとも１つのファイルに従って、少なくとも１つのファイルのファイル情報を取得するように構成される情報取得ユニットであって、少なくとも１つのファイルのファイル情報は、少なくとも１つのファイルのタイプを区別するのに用いられる、情報取得ユニットと、
少なくとも１つのファイルから、少なくとも１つのファイルのファイル情報に従って、マルチメディアタイプ選択コマンドに対応するマルチメディアファイルを選択するように構成される選択ユニットと、
を有する。
【００１３】
第２の態様の第１の可能な実施方式に関して、第２の可能な実施方式では、検索ユニットは、
ファイルディレクトリにフォルダが存在するか否かを検出するように構成される検出サブユニットであって、フォルダは少なくとも１つのファイルを含む、検出サブユニットと、
ファイルディレクトリにフォルダが存在する場合、フォルダ内の少なくとも１つのファイルを検索するように構成される検索サブユニットと、
を有する。情報取得ユニットは、
フォルダ内の少なくとも１つのファイルに従って、フォルダ内の少なくとも１つのファイルのファイル情報を取得するように構成される情報取得サブユニット、
を有する。選択ユニットは、
フォルダ内の少なくとも１つのファイルから、フォルダ内の少なくとも１つのファイルのファイル情報に従って、マルチメディアタイプ選択コマンドに対応するマルチメディアファイルを選択するように構成される選択サブユニット、
を有する。
【００１４】
第２の態様又は第２の態様の第１若しくは第２の可能な実施方式に関して、第３の可能な実施方式では、本装置は更に、
選択再生コマンドを受信するように構成される再生コマンド受信モジュールであって、選択再生コマンドは、マルチメディアリストから再生対象のマルチメディアファイルを選択するのに用いられる、再生コマンド受信モジュールと、
選択再生コマンドに従って、サービスデバイスから、選択再生コマンドに対応するマルチメディアファイルを取得するように構成されるファイル選択モジュールと、
マルチメディアファイルの第１のダウンロード部分をユーザ装置のバッファにダウンロードし、第１のダウンロード部分を再生するように構成されるファイル再生モジュールと、
を備える。
【００１５】
第２の態様の第３の可能な実施方式に関して、第４の可能な実施方式では、本装置は更に、
マルチメディアファイルの第１のダウンロード部分を、ユーザ装置のバッファから削除するように構成される削除モジュール、
を備える。
【００１６】
第３の態様によれば、本発明の実施形態はマルチメディア表示デバイスを提供する。本デバイスは、少なくともプロセッサ及びユーザインタフェースを備え、
ユーザインタフェースは、マルチメディアタイプ選択コマンドを受信するように構成され、
プロセッサは、指定範囲内のサービスデバイスを検索し、アクセス許可を有するサービスデバイスを決定するように構成され、サービスデバイスはマルチメディアファイルを格納しており、且つ、アクセス許可を有するサービスデバイスにおいて、マルチメディアタイプ選択コマンドに対応するマルチメディアファイルを検索するように構成され、且つ、マルチメディアタイプ選択コマンドに対応するマルチメディアファイルに従って、マルチメディアファイルリストを生成及び表示するように構成され、マルチメディアリストは、マルチメディアタイプ選択コマンドに対応するマルチメディアファイルの名称情報を含む。
【００１７】
第３の態様に関して、第１の可能な実施方式では、プロセッサは更に、アクセス許可を有するサービスデバイスからファイルディレクトリを取得するように構成され、ファイルディレクトリは、サービスデバイスの少なくとも１つのファイルの名称情報を含み、且つ、ファイルディレクトリ内の少なくとも１つのファイルの名称情報に従って、少なくとも１つのファイルを検索するように構成され、且つ、少なくとも１つのファイルに従って、少なくとも１つのファイルのファイル情報を取得するように構成され、少なくとも１つのファイルのファイル情報は、少なくとも１つのファイルのタイプを区別するのに用いられ、且つ、少なくとも１つのファイルから、少なくとも１つのファイルのファイル情報に従って、マルチメディアタイプ選択コマンドに対応するマルチメディアファイルを選択するように構成される。
【００１８】
第３の態様の第１の可能な実施方式に関して、第２の可能な実施方式では、プロセッサは更に、ファイルディレクトリにフォルダが存在するか否かを検出し、フォルダは少なくとも１つのファイルを含み、且つ、ファイルディレクトリにフォルダが存在する場合、フォルダ内の少なくとも１つのファイルを検索するように構成され、且つ、フォルダ内の少なくとも１つのファイルに従って、フォルダ内の少なくとも１つのファイルのファイル情報を取得するように構成され、且つ、フォルダ内の少なくとも１つのファイルから、フォルダ内の少なくとも１つのファイルのファイル情報に従って、マルチメディアタイプ選択コマンドに対応するマルチメディアファイルを選択するように構成される。
【００１９】
第３の態様又は第３の態様の第１若しくは第２の可能な実施方式に関して、第３の可能な実施方式では、ユーザインタフェースは更に、選択再生コマンドを受信するように構成され、選択再生コマンドは、マルチメディアリストから再生対象のマルチメディアファイルを選択するのに用いられ、
プロセッサは更に、選択再生コマンドに従って、サービスデバイスから、選択再生コマンドに対応するマルチメディアファイルを取得し、マルチメディアファイルの第１のダウンロード部分をユーザ装置のバッファにダウンロードし、第１のダウンロード部分を再生するように構成される。
【００２０】
第３の態様の第３の可能な実施方式に関して、第４の可能な実施方式では、プロセッサは更に、マルチメディアファイルの第１のダウンロード部分を、ユーザ装置のバッファから削除するように構成される。
【００２１】
本発明の実施形態で提供されるマルチメディア表示方法、装置及びデバイスでは、ユーザ装置は、マルチメディアタイプ選択コマンドを受信し、指定範囲内のサービスデバイスを検索し、アクセス許可を有するサービスデバイスを決定し、アクセス許可を有するサービスデバイスにおいて、マルチメディアタイプ選択コマンドに対応するマルチメディアファイルを検索し、マルチメディアタイプ選択コマンドに対応するマルチメディアファイルに従って、マルチメディアファイルリストを生成及び表示することができる。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、ユーザ装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する。これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際にユーザ装置によって費やされる時間が短縮され、マルチメディアファイルの検索効率が向上する。
【図面の簡単な説明】
【００２２】
本発明の実施形態における技術的解決策をより明確に説明するために、以下、実施形態を説明するために必要な添付図面を簡単に紹介する。当然ながら、以下の説明における添付の図面は、本発明の一部の実施形態を示すに過ぎない。当業者であれば、創意工夫を伴わずにこれらの添付図面から他の図面を更に導出することができるであろう。
【図１】本発明の実施形態に係るマルチメディア表示方法のフローチャートである。
【図２ａ】従来技術のユーザ装置によって表示されるインタフェースの概略図である。
【図２ｂ】本発明の実施形態に係るユーザ装置によって表示されるインタフェースの概略図である。
【図３】本発明の別の実施形態に係るマルチメディア表示方法のフローチャートである。
【図３ａ】本発明の別の実施形態に係るファイルディレクトリの例の概略図である。
【図４】本発明の別の実施形態に係るマルチメディア表示方法のフローチャートである。
【図４ａ】本発明の別の実施形態に係るファイルディレクトリの例の概略図である。
【図５】本発明の別の実施形態に係るマルチメディア表示方法のフローチャートである。
【図６】本発明の実施形態に係るマルチメディア表示装置の概略構造図である。
【図７】本発明の別の実施形態に係るマルチメディア表示装置の概略構造図である。
【図８】本発明の別の実施形態に係るマルチメディア表示装置の概略構造図である。
【図９】本発明の別の実施形態に係るマルチメディア表示装置の概略構造図である。
【図１０】本発明の実施形態に係るマルチメディア表示デバイスの概略構造図である。
【発明を実施するための形態】
【００２３】
以下、本発明の実施形態において添付図面を参照して、本発明の実施形態における技術的解決策を明確且つ完全に説明する。当然ながら、記載の実施形態は、本発明の実施形態の一部に過ぎず全部ではない。当業者が本発明の実施形態に基づいて創意工夫なく得た他の実施形態は、全て本発明の保護範囲内に包含されるものとする。
【００２４】
本発明の実施形態で提供される技術的解決策は、ユーザ装置に適用される。ユーザ装置は、アクセス許可を有するサービスデバイスと通信してよく、サービスデバイスはマルチメディアファイルを格納している。サービスデバイスは複数存在してよい。ユーザ装置は、サービスデバイスからマルチメディアファイルを取得し、それをユーザ装置で再生してよい。ユーザ装置は、ＤＬＮＡ（Digital  Living  Network  Alliance，デジタル・リビング・ネットワーク・アライアンス）クライアントがインストールされた車載システムであってもよいし、サービスデバイスと通信可能な他のデバイスであってもよい。サービスデバイスは、携帯電話、タブレットコンピュータ、ノートブックコンピュータ等であってよい。ユーザ装置とサービスデバイスは、Ｗｉ−Ｆｉ（無線ローカルエリアネットワーク）やBluetooth等の無線通信技術を用いて通信することができる。
【００２５】
本発明の実施形態はマルチメディア表示方法を提供する。図１に示されるように、本方法は以下を含む。
【００２６】
１０１．ユーザ装置が、マルチメディアタイプ選択コマンドを受信する。
【００２７】
マルチメディアタイプ選択コマンドはマルチメディアタイプを選択するのに用いられ、マルチメディアタイプ選択コマンドは、ユーザによって設定及び送信されてよい。例えば、ユーザ装置は、音楽、映画、画像の３種類のマルチメディアファイルアイコンを表示する。ユーザは、マルチメディアタイプ選択コマンドを送信して、音楽アイコンを選択する。したがって、ユーザ装置は、音楽マルチメディアファイルを選択するために用いられるマルチメディアタイプ選択コマンドを受信する。
【００２８】
１０２．指定範囲内のサービスデバイスを検索し、アクセス許可を有するサービスデバイスを決定する。
【００２９】
サービスデバイスはマルチメディアファイルを格納する。マルチメディアタイプ選択コマンドを受信することは、サービスデバイスの検索をトリガする条件である。マルチメディアタイプ選択コマンドを受信した後、ユーザ装置は、指定範囲内のサービスデバイスの検索を開始する。ユーザ装置は、指定範囲内のサービスデバイスを検索する。指定範囲は、ユーザ装置がサービスデバイスと通信することのできる範囲、例えば、ユーザ装置に接続された無線ローカルエリアネットワークによってカバーされる範囲であってよい。指定範囲は、ユーザによって設定された距離範囲であってもよく、例えば、ユーザ装置を中心とする円内の範囲であり、半径は５メートルに等しい。
【００３０】
留意すべきこととして、ユーザ装置は複数のサービスデバイスを検索してよく、アクセス許可を有するサービスデバイスを決定する必要がある。例えば、ユーザ装置は車載システムであり、車載システムは、携帯電話Ａ、携帯電話Ｂ及びタブレットコンピュータＣを検索する。携帯電話Ａ、携帯電話Ｂ及びタブレットコンピュータＣは全てサービスデバイスであるが、携帯電話ＡとタブレットコンピュータＣのみ、対応するクライアントがインストールされており、アクセス許可を有する。したがって、車載システムは、携帯電話Ａ及びタブレットコンピュータＣのみにアクセスすることができる。
【００３１】
１０３．アクセス許可を有するサービスデバイスにおいて、マルチメディアタイプ選択コマンドに対応するマルチメディアファイルを検索する。
【００３２】
ユーザ装置は、アクセス許可を有するサービスデバイスにおいて、マルチメディアタイプ選択コマンドに対応するマルチメディアファイルを検索する。例えば、サービスデバイスに格納されているマルチメディアファイルは、音楽ファイル、ビデオファイル、画像ファイル等を含む。マルチメディアタイプ選択コマンドは音楽ファイルを選択し、したがって、アクセス許可を有する見つかったサービスデバイス内の全ての音楽ファイルが、アクセス許可を有する見つかったサービスデバイスから取得される。アクセス許可を有するサービスデバイスにおいてマルチメディアタイプ選択コマンドに対応するマルチメディアファイルを検索するとき、ユーザ装置は、検索効率を更に向上させるために、アクセス許可を有する複数のサービスデバイスにおいて連続して検索を実行してもよいし、アクセス許可を有する複数のサービスデバイスにおいて同時に検索を行ってもよい。ユーザ装置とサービスデバイスは、ＵＰＮＰ（Universal  Plug  and  Play、ユニバーサル・プラグ・アンド・プレイ）プロトコルを用いて、データ及びメッセージを通信及び交換してもよい。
【００３３】
１０４．マルチメディアタイプ選択コマンドに対応するマルチメディアファイルに従って、マルチメディアファイルリストを生成及び表示する。
【００３４】
マルチメディアリストは、マルチメディアタイプ選択コマンドに対応するマルチメディアファイルの名称情報を含む。例えば、マルチメディアリストが生成及び表示されるとき、ユーザ装置は、マルチメディアタイプ選択コマンドに対応しサービス機器内にあるマルチメディアファイルを、ユーザ装置にダウンロードしない。例えば、マルチメディアタイプ選択コマンドは、ビデオファイルの選択を指示し、したがって、ユーザ装置によって表示されるマルチメディアリストは、アクセス許可を有する全てのサービスデバイス内のビデオファイルの名称情報を含む。マルチメディアリストは少なくともマルチメディアファイルの名称情報を含み、更に、マルチメディアファイルのアルバムや著者等の他の情報を含んでよい。マルチメディアファイルには、音楽ファイル、画像ファイル、ビデオファイル等、複数のタイプがある。
【００３５】
具体的には、従来技術では、図２ａに示されるように、ユーザの操作コマンドが受信され、ユーザ装置は、番号１〜４の４つのインタフェースを連続的に表示する必要がある。番号１のインタフェースはマルチメディアタイプ選択インタフェースであり、番号２のインタフェースはサービスデバイス選択インタフェースであり、番号３のインタフェースはディレクトリタイプ選択インタフェースであり、番号４のインタフェースはマルチメディアファイルリストインタフェースである。１つのサービスデバイスにアクセスする場合、マルチメディアファイルリストインターフェース上で再生を希望するマルチメディアファイルを選択する前に、ユーザ装置は操作コマンドを４回受信する必要がある。ユーザ端末がＮ個のサービスデバイスに連続的にアクセスする場合、ユーザ装置は、操作コマンドを４＊Ｎ回受信し、操作を４＊Ｎ回実行する必要がある。しかしながら、この解決策では、図２ｂに示されるように、ユーザ装置は、２つのインタフェース番号１及び２を連続して表示するだけでよい。番号１のインタフェースはマルチメディアタイプ選択インタフェースであり、番号２のインタフェースはマルチメディアファイルリストインタフェースである。ユーザ装置は、再生を希望するマルチメディアファイルがマルチメディアファイルリストインターフェース上で選択される前に、操作コマンドを２回受信するだけでよい。ユーザ装置が複数のサービス装置にアクセスしても、そのサービス装置の選択が不要であるので、ユーザ装置は、マルチメディアファイルリストインターフェース上で再生を希望するマルチメディアファイルが選択される前に、操作コマンドを２回受信するだけでよい。
【００３６】
本発明の本実施形態で提供されるマルチメディア表示方法では、ユーザ装置は、マルチメディアタイプ選択コマンドを受信し、指定範囲内のサービスデバイスを検索し、アクセス許可を有するサービスデバイスを決定し、アクセス許可を有するサービスデバイスにおいて、マルチメディアタイプ選択コマンドに対応するマルチメディアファイルを検索し、マルチメディアタイプ選択コマンドに対応するマルチメディアファイルに従って、マルチメディアファイルリストを生成及び表示することができる。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、ユーザ装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する、これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際にユーザ装置によって費やされる時間が短縮され、マルチメディアファイルの検索効率が向上する。
【００３７】
更に、図１に示される解決策に基づき、本発明の別の実施形態は更に、マルチメディア表示方法に対する具体的な解決策を提供する。この解決法は、図１に示される解決策における１０３の実行プロセスについて更なる詳細を与える。１０３は、具体的には、１０３１〜１０３３によって実現されてよい。図３に示されるように、以下を含んでよい。
【００３８】
１０３１．アクセス許可を有するサービスデバイスからファイルディレクトリを取得する。
【００３９】
本実施形態の具体的な適用では、サービスデバイスは、ファイルディレクトリを用いて、サービスデバイスに格納されたファイルを表示してよい。ファイルディレクトリはサービスデバイスの少なくとも１つのファイルの名称情報を含む。ファイルはマルチメディアファイルを含んでよく、更に、実行可能なプログラムファイルやテキストファイル等の別のタイプのファイルを含んでよい。例えば、図３ａに示されるように、ファイルディレクトリには、「曲１」、「画像１」、「曲２」、「曲３」、「画像２」の５つのファイルの名称情報が含まれる。ユーザ装置はアクセス許可を有するサービスデバイスからファイルディレクトリを取得する。ファイルディレクトリは基本的に、サービスデバイス内のファイルのインデックスであってサービスデバイスによって作成されるインデックスである。すなわち、インデックスは、ファイルの名称情報とファイルの物理的位置とのマッピング関係である。サービスデバイス内の各ファイルには、ファイルディレクトリに、対応するエントリがある。エントリは、少なくともファイルの名称情報を含み、更に、ファイルの内部識別子、ファイルタイプ、ファイル格納アドレス、ファイル長、アクセス許可、作成時刻、アクセス時刻等の情報を含んでよい。対応するファイルは、ファイルディレクトリ内のファイルの名称情報に従って物理メモリ内で見つけることができる。
【００４０】
１０３２．ファイルディレクトリ内の少なくとも１つのファイルの名称情報に従って、少なくとも１つのファイルを検索する。
【００４１】
サービスデバイス内のファイルディレクトリのファイルの名称情報に従って、サービスデバイスの物理メモリにおいて、対応するファイルを検索することができる。
【００４２】
１０３３．少なくとも１つのファイルに従って、少なくとも１つのファイルのファイル情報を取得する。
【００４３】
少なくとも１つのファイルのファイル情報は、少なくとも１つのファイルのタイプを区別するのに用いられる。発見されたファイルに従って、ファイルのプロパティを用いてファイルのファイル情報が取得されてよい。ファイル情報は、ファイルタイプを区別するのに用いられる。ファイル情報は、txt（Text  File、テキストファイル）、avi（Audio  Video  Interleaved、オーディオ・ビデオ・インターリーブ）、MP3（Moving  Picture  Experts  Group  Audio  Layer  III、ムービング・ピクチャー・エクスパーツ・グループ・オーディオ・レイヤIII）、GIF（Graphics  Interchange  Format、グラフィックス・インターチェンジ・フォーマット）等のファイル形式情報であってよい。ファイル情報は、マルチメディアファイルタイプを識別する識別情報であってもよい。例えば、ユーザ装置及びサービスデバイスは、マルチメディアファイルタイプを識別する識別情報を設定することに事前合意し、音楽ファイルの識別にキャラクタＡを用い、画像ファイルの識別にキャラクタＢを用い、ビデオファイルの識別にキャラクタＣを用いる。
【００４４】
１０３４．少なくとも１つのファイルのファイル情報に従って、少なくとも１つのファイルから、マルチメディアタイプ選択コマンドに対応するマルチメディアファイルを選択する。
【００４５】
少なくとも１つのファイルのファイル情報に従って、ユーザ装置はファイルのタイプを決定することができ、したがって、サービスデバイス内の多くのファイルにおいて、マルチメディアタイプ選択コマンドに対応するマルチメディアファイルを選択する。例えば、サービスデバイスに記憶されているファイルは、テキストファイル、画像ファイル、ビデオファイル、音楽ファイル等を含む。ファイル情報がファイル形式情報である場合、マルチメディアタイプ選択コマンドは、ビデオファイルの選択を指示する。したがって、サービスデバイス内の全てのファイルのファイル形式情報が取得される。サービスデバイスは、ファイル形式情報がtxt（Text  File、テキストファイル）、avi（Audio  Video  Interleaved、オーディオ・ビデオ・インターリーブ）ファイル、MP3（Moving  Picture  Experts  Group  Audio  Layer  III、ムービング・ピクチャー・エクスパーツ・グループ・オーディオ・レイヤIII）ファイル、FLV（Flash  Video、ストリーミングメディア形式）ファイル及びGIF（Graphics  Interchange  Format、グラフィックス・インターチェンジ・フォーマット）ファイルであるファイルを記憶する。ファイル形式情報がavi及びFLVであるファイルはビデオファイルであり、したがってユーザ装置は、全てのファイルにおいて、ファイル形式情報がavi及びFLVであるファイルを選択する。
【００４６】
本発明の本実施形態で提供されるマルチメディア表示方法では、ユーザ装置は、マルチメディアタイプ選択コマンドを受信し、指定範囲内のサービスデバイスを検索し、アクセス許可を有するサービスデバイスを決定し、アクセス許可を有するサービスデバイスからファイルディレクトリを取得することができ、したがって、サービスデバイスにおいてファイルのファイル情報を取得し、ファイル情報を用いて、マルチメディアタイプ選択コマンドに対応するマルチメディアファイルを選択し、マルチメディアタイプ選択コマンドに対応するマルチメディアファイルに従って、マルチメディアファイルリストを生成及び表示することができる。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、ユーザ装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する、これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際にユーザ装置によって費やされる時間が短縮され、マルチメディアファイルの検索効率が向上する。
【００４７】
更に、図３に示される解決策に基づき、本発明の実施形態は更に、マルチメディア表示方法に対する具体的な解決策を提供する。この解決策は、図３に示される解決策における１０３２〜１０３４の実行プロセスについて更なる詳細を与える。１０３２は具体的には１０３２１〜１０３２２によって実現されてよく、１０３３は具体的には１０３３１によって実現されてよく、１０３４は具体的には１０３４１によって実現されてよい。図４に示されるように、実施プロセスは以下を含む。
【００４８】
１０３２１．ファイルディレクトリにフォルダが存在するか否かを検出する。
【００４９】
ファイルディレクトリにはまだフォルダが存在していてよく、フォルダは少なくとも１つのファイルを含む。マルチメディアタイプ選択コマンドに対応するマルチメディアファイルを選択する際に、フォルダにおいて、マルチメディアタイプ選択コマンドに対応するマルチメディアファイルの抜けを防止するために、ファイルディレクトリにフォルダが存在するか否かを検出する必要がある。フォルダが存在する場合、フォルダを開く必要があり、フォルダ内の少なくとも１つのファイルを選択する必要がある。
【００５０】
１０３２２．ファイルディレクトリにフォルダが存在する場合、フォルダ内の少なくとも１つのファイルを検索する。
【００５１】
ファイルディレクトリにフォルダが存在する場合、フォルダが開かれ、フォルダ内の少なくとも１つのファイルが選択される。例えば、図４ａに示されるように、ファイルディレクトリは、５つのファイルの名称情報「曲１」、「画像１」、「曲２」、「曲３」及び「画像２」を含むだけでなく、フォルダ「フォルダ１」も含む。したがって、フォルダ１が開かれ、フォルダ１内のファイルが検索される。
【００５２】
ファイルディレクトリにフォルダが存在しない場合、ファイルディレクトリ内の少なくとも１つのファイルの名称情報に従って、ファイルディレクトリ内の少なくとも１つのファイルを検索すればよい。そして、少なくとも１つのファイルのファイル情報に従って、見つかった少なくとも１つのファイルにおいて、マルチメディア選択コマンドに対応するマルチメディアファイルを選択する。
【００５３】
留意すべきこととして、フォルダは更にサブフォルダを含んでよい。この場合、サブフォルダが開かれ、フォルダがサブフォルダを含まなくなるまで、サブフォルダ内の少なくとも１つのファイルが検索される。
【００５４】
１０３３１．フォルダ内の少なくとも１つのファイルに従って、フォルダ内の少なくとも１つのファイルのファイル情報を取得する。
【００５５】
ファイル情報は、ファイルのプロパティの１つである。サービスデバイスにおいて、ユーザ装置は、フォルダ内の少なくとも１つのファイルに従って、フォルダ内の少なくとも１つのファイルのファイル情報を取得することができる。
【００５６】
１０３４１．フォルダ内の少なくとも１つのファイルのファイル情報に従って、フォルダ内の少なくとも１つのファイルから、マルチメディアタイプ選択コマンドに対応するマルチメディアファイルを選択する。
【００５７】
マルチメディアタイプ選択コマンドに対応するマルチメディアファイルは、フォルダ内の少なくとも１つのファイルから、フォルダ内の少なくとも１つのファイルのファイル情報を用いて選択される。フォルダがまだサブフォルダを含む場合、サブフォルダが開かれ、サブフォルダ内の少なくとも１つのファイルのファイル情報に従って、サブフォルダ内の少なくとも１つのファイルから、マルチメディアタイプ選択コマンドに対応するマルチメディアファイルが選択される。これは、フォルダがサブフォルダを含まなくなるまで継続される。
【００５８】
本発明の本実施形態で提供されるマルチメディア表示方法では、ユーザ装置は、マルチメディアタイプ選択コマンドを受信し、指定範囲内のサービスデバイスを検索し、アクセス許可を有するサービスデバイスを決定し、アクセス許可を有するサービスデバイスからファイルディレクトリを取得することができ、したがって、サービスデバイスにおいてファイルのファイル情報を取得し、ファイル情報を用いて、マルチメディアタイプ選択コマンドに対応するマルチメディアファイルを選択し、マルチメディアタイプ選択コマンドに対応するマルチメディアファイルに従って、マルチメディアファイルリストを生成及び表示することができる。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、ユーザ装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する、これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際にユーザ装置によって費やされる時間が短縮され、マルチメディアファイルの検索効率が向上する。ファイルディレクトリがフォルダを含む場合、フォルダが開かれ、マルチメディアタイプ選択コマンドに対応するマルチメディアファイルが選択される。これにより、マルチメディアタイプ選択コマンドに対応するマルチメディアファイルの抜けを防止する。
【００５９】
加えて、図４に示される解決策に基づき、本発明の実施形態は更に、マルチメディア表示方法に対する具体的な解決策を提供する。この解決策では、１０５〜１０８が追加されてよく、サービスデバイス内のマルチメディアファイルがユーザ装置にダウンロードされ再生されてよい。図５に示されるように、具体的な解決策は以下を含む。
【００６０】
１０５．選択再生コマンドを受信する。
【００６１】
選択再生コマンドは、マルチメディアリストから再生対象のマルチメディアファイルを選択するのに用いられる。
【００６２】
１０６．選択再生コマンドに従って、サービスデバイスから、選択再生コマンドに対応するマルチメディアファイルを取得する。
【００６３】
１０７．マルチメディアファイルの第１のダウンロード部分をユーザ装置のバッファにダウンロードし、第１のダウンロード部分を再生する。
【００６４】
第１のダウンロード部分は、マルチメディアファイルにおいて予め設定された時間の一部として設定され、ユーザ装置がダウンロード中に再生機能を実現できるようにすることができる。例えば、マルチメディアファイルはビデオファイルである。ビデオファイルが１分まで再生されるとき、ユーザ装置は、ビデオファイルの１分〜１分３０秒の部分をサービス装置からダウンロードするだけでよい。リアルタイムでダウンロードされる部分は、ビデオを再生している現在時刻の３０秒後の部分である。このように、マルチメディアファイル全体がユーザによってユーザ装置にダウンロードされることが回避され、ユーザ装置内のメモリの記憶資源を十分に占有する。第１のダウンロード部分は、マルチメディアファイルにおいて予め設定されたサイズの部分として設定することもできる。例えば、第１のダウンロード部分は、マルチメディアファイルにおいて直ちに再生される１０Ｍサイズの部分であってよい。
【００６５】
１０８．マルチメディアファイルの第１のダウンロード部分を、ユーザ装置のバッファから削除する。
【００６６】
マルチメディアファイルの第１のダウンロード部分が再生された後、第１のダウンロード部分は、ユーザ装置のバッファからリアルタイムに削除され、これにより、ユーザ装置のメモリに対する負荷の増大を防ぎ、占有された記憶リソースを低減することができる。
【００６７】
本発明の本実施形態で提供されるマルチメディア表示方法では、ユーザ装置は、マルチメディアタイプ選択コマンドを受信し、指定範囲内のサービスデバイスを検索し、アクセス許可を有するサービスデバイスを決定し、アクセス許可を有するサービスデバイスからファイルディレクトリを取得することができ、したがって、サービスデバイスにおいてファイルのファイル情報を取得し、ファイル情報を用いて、マルチメディアタイプ選択コマンドに対応するマルチメディアファイルを選択し、マルチメディアタイプ選択コマンドに対応するマルチメディアファイルに従って、マルチメディアファイルリストを生成及び表示することができる。マルチメディアファイルが再生されるとき、再生中にダウンロードされてよく、マルチメディアファイルの再生部分は削除されてよい。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、ユーザ装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する。これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際にユーザ装置によって費やされる時間が短縮され、マルチメディアファイルの検索効率が向上する。加えて、再生プロセスにおいて、ユーザ装置に占有されている記憶リソースが最大限に削減され、ユーザ装置のメモリに対する記憶負荷も軽減される。
【００６８】
本発明の実施形態はユーザ装置２００を提供する。図６に示されるように、ユーザ装置２００は、
マルチメディアタイプ選択コマンドを受信するように構成されるコマンド受信モジュール２０１と、
指定範囲内のサービスデバイスを検索し、アクセス許可を有するサービスデバイスを決定するように構成されるサービス検索モジュール２０２であって、サービスデバイスはマルチメディアファイルを格納している、サービス検索モジュール２０２と、
アクセス許可を有するサービスデバイスにおいて、マルチメディアタイプ選択コマンドに対応するマルチメディアファイルを検索するように構成されるファイル検索モジュール２０３と、
マルチメディアタイプ選択コマンドに対応するマルチメディアファイルに従って、マルチメディアファイルリストを生成及び表示するように構成されるリスト生成モジュール２０４と、
を備える。
【００６９】
マルチメディアリストは、マルチメディアタイプ選択コマンドに対応するマルチメディアファイルの名称情報を含む。
【００７０】
本発明の本実施形態で提供されるマルチメディア表示装置は、マルチメディアタイプ選択コマンドを受信し、指定範囲内のサービスデバイスを検索し、アクセス許可を有するサービスデバイスを決定し、アクセス許可を有するサービスデバイスにおいて、マルチメディアタイプ選択コマンドに対応するマルチメディアファイルを検索し、マルチメディアタイプ選択コマンドに対応するマルチメディアファイルに従って、マルチメディアファイルリストを生成及び表示することができる。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する。これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際に装置によって費やされる時間が短縮され、マルチメディアファイルの検索効率が向上する。
【００７１】
更に、図７に示されるように、ファイル検索モジュール２０３は、
アクセス許可を有するサービスデバイスからファイルディレクトリを取得するように構成されるディレクトリ取得ユニット２０３１であって、ファイルディレクトリは、サービスデバイスの少なくとも１つのファイルの名称情報を含む、ディレクトリ取得ユニット２０３１と、
ファイルディレクトリ内の少なくとも１つのファイルの名称情報に従って、少なくとも１つのファイルを検索するように構成される検索ユニット２０３２と、
少なくとも１つのファイルに従って、少なくとも１つのファイルのファイル情報を取得するように構成される情報取得ユニット２０３３であって、少なくとも１つのファイルのファイル情報は、少なくとも１つのファイルのタイプを区別するのに用いられる、情報取得ユニット２０３３と、
少なくとも１つのファイルから、少なくとも１つのファイルのファイル情報に従って、マルチメディアタイプ選択コマンドに対応するマルチメディアファイルを選択するように構成される選択ユニット２０３４と、
を有する。
【００７２】
本発明の本実施形態で提供されるマルチメディア表示装置は、マルチメディアタイプ選択コマンドを受信し、指定範囲内のサービスデバイスを検索し、アクセス許可を有するサービスデバイスを決定し、アクセス許可を有するサービスデバイスからファイルディレクトリを取得することができ、したがって、サービスデバイスにおいてファイルのファイル情報を取得し、ファイル情報を用いて、マルチメディアタイプ選択コマンドに対応するマルチメディアファイルを選択し、マルチメディアタイプ選択コマンドに対応するマルチメディアファイルに従って、マルチメディアファイルリストを生成及び表示することができる。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する。これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際に装置によって費やされる時間が短縮され、マルチメディアファイルの検索効率が向上する。
【００７３】
更に、図８に示されるように、検索ユニット２０３２は、
ファイルディレクトリにフォルダが存在するか否かを検出するように構成される検出サブユニット２０３２１であって、フォルダは少なくとも１つのファイルを含む、検出サブユニット２０３２１と、
ファイルディレクトリにフォルダが存在する場合、フォルダ内の少なくとも１つのファイルを検索するように構成される検索サブユニット２０３２２と、
を有する。
【００７４】
情報取得ユニット２０３３は、
フォルダ内の少なくとも１つのファイルに従って、フォルダ内の少なくとも１つのファイルのファイル情報を取得するように構成される情報取得サブユニット２０３３１、
を有する。
【００７５】
選択ユニット２０３４は、
フォルダ内の少なくとも１つのファイルから、フォルダ内の少なくとも１つのファイルのファイル情報に従って、マルチメディアタイプ選択コマンドに対応するマルチメディアファイルを選択するように構成される選択サブユニット２０３４１、
を有する。
【００７６】
本発明の本実施形態で提供されるマルチメディア表示装置は、マルチメディアタイプ選択コマンドを受信し、指定範囲内のサービスデバイスを検索し、アクセス許可を有するサービスデバイスを決定し、アクセス許可を有するサービスデバイスからファイルディレクトリを取得することができ、したがって、サービスデバイスにおいてファイルのファイル情報を取得し、ファイル情報を用いて、マルチメディアタイプ選択コマンドに対応するマルチメディアファイルを選択し、マルチメディアタイプ選択コマンドに対応するマルチメディアファイルに従って、マルチメディアファイルリストを生成及び表示することができる。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、ユーザ装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する。これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際にユーザ装置によって費やされる時間が短縮され、マルチメディアファイルの検索効率が向上する。ファイルディレクトリがフォルダを含む場合、フォルダが開かれ、マルチメディアタイプ選択コマンドに対応するマルチメディアファイルが選択される。これにより、マルチメディアタイプ選択コマンドに対応するマルチメディアファイルの抜けが防止される。
【００７７】
加えて、図９に示されるように、ユーザ装置２００は更に、
選択再生コマンドを受信するように構成される再生コマンド受信モジュール２０５であって、選択再生コマンドは、マルチメディアリストから再生対象のマルチメディアファイルを選択するのに用いられる、再生コマンド受信モジュール２０５と、
選択再生コマンドに従って、サービスデバイスから、選択再生コマンドに対応するマルチメディアファイルを取得するように構成されるファイル選択モジュール２０６と、
マルチメディアファイルの第１のダウンロード部分をユーザ装置のバッファにダウンロードし、第１のダウンロード部分を再生するように構成されるファイル再生モジュール２０７と、
マルチメディアファイルの第１のダウンロード部分を、ユーザ装置のバッファから削除するように構成される削除モジュール２０８と、
を備える。
【００７８】
本発明の本実施形態で提供されるマルチメディア表示装置は、マルチメディアタイプ選択コマンドを受信し、指定範囲内のサービスデバイスを検索し、アクセス許可を有するサービスデバイスを決定し、アクセス許可を有するサービスデバイスからファイルディレクトリを取得することができ、したがって、サービスデバイスにおいてファイルのファイル情報を取得し、ファイル情報を用いて、マルチメディアタイプ選択コマンドに対応するマルチメディアファイルを選択し、マルチメディアタイプ選択コマンドに対応するマルチメディアファイルに従って、マルチメディアファイルリストを生成及び表示することができる。マルチメディアファイルが再生されるとき、再生中にダウンロードされてよく、マルチメディアファイルの再生部分は削除されてよい。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、装置は、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する。これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際に装置によって費やされる時間が短縮され、マルチメディアファイルの検索効率が向上する。加えて、再生プロセスにおいて、装置に占有されている記憶リソースが最大限に削減され、装置のメモリに対する記憶負荷も軽減される。
【００７９】
本発明の実施形態はマルチメディア表示デバイス３００を提供する。図１０に示されるように、マルチメディア表示デバイス３００は、ＣＰＵ（Central  Processing  Unit、中央演算処理装置）等の少なくとも１つのプロセッサ３０１と、少なくとも１つのネットワークインタフェース３０４又は別のユーザインタフェース３０３と、メモリ３０５と、少なくとも１つの通信バス３０２とを備える。通信バス３０２は、これらのコンポーネント間の接続及び通信を実現するために用いられる。任意に、ユーザインタフェース３０３は、ディスプレイ、キーボード或いはクリックデバイス、例えばマウス、トラックボール、タッチパッド、タッチスクリーン等であってよい。任意に、メモリ３０５は、読出専用メモリ（Read-Only  Memory、ＲＯＭ）やランダムアクセスメモリ（Random  Access  Memory、ＲＡＭ）等の、プロセッサ３０１から離れて配置される少なくとも１つの記憶装置を含んでよい。マルチメディア表示デバイス３００は、具体的には、車載用プレーヤやスマートテレビ等の車載用再生装置や家庭用再生装置であってよい。
【００８０】
一部の実施方式では、メモリ３０５は、以下の要素、実行可能モジュール若しくはデータ構造又はそのサブセット、又はそれらの拡張セットを格納する。
オペレーティングシステム３０５１は、様々なシステムプログラムを含み、様々な基本サービスを実現し、ハードウェアベースのタスクを処理するように構成される。
アプリケーション３０５２は、様々なアプリケーションを含み、様々なアプリケーションサービスを実現するように構成される。
【００８１】
アプリケーション３０５２は、限定ではないが、コマンド受信モジュール２０１、サービス検索モジュール２０２、ファイル検索モジュール２０３、リスト生成モジュール２０４、ディレクトリ取得ユニット２０３１、検索ユニット２０３２、情報取得ユニット２０３３、選択ユニット２０３４、検出サブユニット２０３２１、検索サブユニット２０３２２、情報取得サブユニット２０３３１、選択サブユニット２０３４１、再生コマンド受信モジュール２０５、ファイル選択モジュール２０６、ファイル再生モジュール２０７及び削除モジュール２０８を含む。
【００８２】
アプリケーション３０５２内の各モジュール及び各ユニットの具体的な実現については、図６〜図９に示される実施形態における対応するモジュール及びユニットを参照することができ、詳細の説明はここでは繰り返さない。プロセッサ３０１は、オペレーティングシステム３０５１やアプリケーション３０５２等のデータをメモリ３０５から取得してよく、よって、オペレーティングシステム３０５１やアプリケーション３０５２等のデータを実行又は実施することができる。
【００８３】
具体的には、ユーザインタフェース３０３は、マルチメディアタイプ選択コマンドを受信するように構成される。
【００８４】
プロセッサ３０１は、指定範囲内のサービスデバイスを検索し、アクセス許可を有するサービスデバイスを決定するように構成され、サービスデバイスはマルチメディアファイルを格納しており、且つ、アクセス許可を有するサービスデバイスにおいて、マルチメディアタイプ選択コマンドに対応するマルチメディアファイルを検索するように構成され、マルチメディアタイプ選択コマンドに対応するマルチメディアファイルに従って、マルチメディアファイルリストを生成及び表示するように構成され、マルチメディアリストは、マルチメディアタイプ選択コマンドに対応するマルチメディアファイルの名称情報を含む。
【００８５】
メモリ３０５は、マルチメディアタイプ選択コマンド及びマルチメディアファイルリストを格納するように構成される。
【００８６】
更に、プロセッサ３０１は更に、アクセス許可を有するサービスデバイスからファイルディレクトリを取得するように構成され、ファイルディレクトリは、サービスデバイスの少なくとも１つのファイルの名称情報を含み、且つ、ファイルディレクトリ内の少なくとも１つのファイルの名称情報に従って、少なくとも１つのファイルを検索するように構成され、且つ、少なくとも１つのファイルに従って、少なくとも１つのファイルのファイル情報を取得するように構成され、少なくとも１つのファイルのファイル情報は、少なくとも１つのファイルのタイプを区別するのに用いられ、且つ、少なくとも１つのファイルから、少なくとも１つのファイルのファイル情報に従って、マルチメディアタイプ選択コマンドに対応するマルチメディアファイルを選択するように構成される。
【００８７】
更に、プロセッサ３０１は更に、ファイルディレクトリにフォルダが存在するか否かを検出し、フォルダは少なくとも１つのファイルを含み、且つ、ファイルディレクトリにフォルダが存在する場合、フォルダ内の少なくとも１つのファイルを検索するように構成され、且つ、フォルダ内の少なくとも１つのファイルに従って、フォルダ内の少なくとも１つのファイルのファイル情報を取得するように構成され、フォルダ内の少なくとも１つのファイルから、フォルダ内の少なくとも１つのファイルのファイル情報に従って、マルチメディアタイプ選択コマンドに対応するマルチメディアファイルを選択するように構成される。
【００８８】
加えて、ユーザインタフェース３０３は更に、選択再生コマンドを受信するように構成される。
【００８９】
選択再生コマンドは、マルチメディアリストから再生対象のマルチメディアファイルを選択するのに用いられる。
【００９０】
プロセッサ３０１は更に、選択再生コマンドに従って、サービスデバイスから、選択再生コマンドに対応するマルチメディアファイルを取得し、マルチメディアファイルの第１のダウンロード部分をユーザ装置のバッファにダウンロードし、第１のダウンロード部分を再生するように構成される。
【００９１】
プロセッサ３０１は更に、マルチメディアファイルの第１のダウンロード部分を、ユーザ装置のバッファから削除するように構成される。
【００９２】
本発明の本実施形態で提供されるマルチメディア表示デバイスは、マルチメディアタイプ選択コマンドを受信し、指定範囲内のサービスデバイスを検索し、アクセス許可を有するサービスデバイスを決定し、アクセス許可を有するサービスデバイスからファイルディレクトリを取得することができ、したがって、サービスデバイスにおいてファイルのファイル情報を取得し、ファイル情報を用いて、マルチメディアタイプ選択コマンドに対応するマルチメディアファイルを選択し、マルチメディアタイプ選択コマンドに対応するマルチメディアファイルに従って、マルチメディアファイルリストを生成及び表示することができる。マルチメディアファイルが再生されるとき、再生中にダウンロードされてよく、マルチメディアファイルの再生部分は削除されてよい。従来技術では、ＤＬＮＡサービスデバイスに繰り返しアクセスする必要があり、ＤＬＮＡサービスデバイスにアクセスするたびに、所望のマルチメディアファイルを再生する前に、ユーザの複数のコマンドを受信する必要がある。従来技術と比較すると、この解決策では、マルチメディアタイプ選択コマンドの受信後、マルチメディア表示デバイスは、アクセス許可を有する見つかった全てのサービスデバイスをトラバースしてアクセスし、マルチメディアタイプ選択コマンドに対応するサービスデバイス内のマルチメディアファイルに従って、マルチメディアファイルリストを生成及び表示し、見つかったマルチメディアファイルを一度に表示する、これにより、ＤＬＮＡサービスデバイスに繰り返しアクセスするという問題を回避し、ＤＬＮＡサービスデバイスにアクセスするたびにユーザの複数のコマンドを受信する必要がなくなり、マルチメディアファイルを検索する際にマルチメディア表示デバイスによって費やされる時間が短縮され、マルチメディアファイルの検索効率が向上する。ファイルディレクトリがフォルダを含む場合、フォルダを開いてマルチメディアファイルを取得することにより、マルチメディアタイプ選択コマンドに対応するマルチメディアファイルの抜けを防止する。加えて、再生プロセスにおいて、マルチメディア表示デバイスに占有されている記憶リソースが最大限に削減され、マルチメディア表示デバイスのメモリに対する記憶負荷も軽減される。
【００９３】
本明細書の実施形態は全て段階的に記載されており、実施形態の中で同一又は類似の部分については、これらの実施形態を参照することができ、各実施形態は他の実施形態との相違点に焦点を当てている。特に、デバイスの実施形態は基本的に方法の実施形態に類似しているので、簡単に説明する。関連する部品については、方法の実施形態における部分的な説明を参照することができる。
【００９４】
当業者であれば理解できるように、実施形態の方法のプロセスの全部又は一部が、関連するハードウェアを指示するコンピュータプログラムによって実施されてよい。プログラムは、コンピュータ可読記憶媒体に格納されてよい。プログラムが実行されると、実施形態の方法の処理が実行される。記憶媒体は、磁気ディスク、光ディスク、読出専用メモリ（Read-Only  Memory、ＲＯＭ）又はランダムアクセスメモリ（Random  Access  Memory、ＲＡＭ）を含んでよい。
【００９５】
以上の説明は本発明の特定の実施形態に過ぎず、本発明の保護範囲を限定するものではない。本発明に開示された技術範囲内で当業者が容易に想到できる変形又は置換は、いかなるものも本発明の保護範囲に包含されるものとする。したがって、本発明の保護範囲は、特許請求の範囲の保護範囲に属するものとする。
【図１】
0006336624.tif 000002
【図２ａ】
0006336624.tif 000003
【図２ｂ】
0006336624.tif 000004
【図３】
0006336624.tif 000005
【図３ａ】
0006336624.tif 000006
【図４】
0006336624.tif 000007
【図４ａ】
0006336624.tif 000008
【図５】
0006336624.tif 000009
【図６】
0006336624.tif 000010
【図７】
0006336624.tif 000011
【図８】
0006336624.tif 000012
【図９】
0006336624.tif 000013
【図１０】
0006336624.tif 000014